(57)【要約】【課題】光ネットワーク分析ツールを提供する。【解決手段】光ネットワーク分析ツールは、保存されたコンピュータ可読命令を有するコンピュータ可読ストレージ媒体を含む。コンピュータ可読命令は、演算装置によって実行可能な動作を含む。その動作は、光ネットワークをモデル化した模擬ネットワークを生成することを含む。模擬ネットワークは、リジェネレータ候補サイトを含む。また、動作は、光ネットワークの分析を実施することを含んでもよい。分析は、発信元／宛先ペアの間において伝送される複数の信号を導入し、データトラフィック条件のセットのそれぞれを模擬ネットワーク内において適用しつつ、リジェネレータ候補サイトのそれぞれがリジェネレータサイトとして選択される回数を記録する、ことを含む。また、動作は、リジェネレータ候補サイトのそれぞれが選択された回数を分析して統計分析情報を生成し、統計分析情報を提示することを含んでもよい。【選択図】図６
2014039242.tif 000002
【特許請求の範囲】
【請求項１】
確率分析に基づいたリジェネレータサイト選択の方法であって、
複数のデータトラフィック条件を生成し、
複数の要求セットを生成し、
前記データトラフィック条件のそれぞれをリジェネレータ候補サイトを含む模擬ネットワーク内において適用しつつ、前記要求セットのそれぞれを前記模擬ネットワークに導入し、かつ、前記リジェネレータ候補サイトのそれぞれがリジェネレータサイトとして選択される回数を記録し、
前記リジェネレータ候補サイトのそれぞれが前記リジェネレータサイトとして選択された前記回数を統計的に分析し、
前記統計的分析に少なくとも部分的に基づいて前記リジェネレータ候補サイトからリジェネレータサイトを選択する、
ことを含む方法。
【請求項２】
前記統計的分析は、それぞれのリジェネレータ候補サイトごとに標準偏差加重確率期待値を算出することを含む請求項１に記載の方法。
【請求項３】
前記標準偏差加重確率期待値に従って前記リジェネレータ候補サイトをランク付け、
閾値を決定する、
ことをさらに含み、前記リジェネレータサイトを選択することは、前記閾値を上回る標準偏差加重確率期待値を有するリジェネレータ候補サイトを選択することを含む、請求項２に記載の方法。
【請求項４】
前記リジェネレータ候補サイトを前記標準偏差加重確率期待値に基づいてランク付けしたリジェネレータサイト選択ランキングリストを生成することをさらに含む請求項２に記載の方法。
【請求項５】
前記標準偏差加重確率期待値に従って前記リジェネレータ候補サイトをプロットすることをさらに含む請求項４に記載の方法。
【請求項６】
前記リジェネレータサイト選択ランキングリストは、実際的な検討項目に基づいた前記加重確率期待値の変更を可能にする請求項４に記載の方法。
【請求項７】
前記模擬ネットワークは、動的ネットワークまたは準静的ネットワークをモデル化している請求項１に記載の方法。
【請求項８】
前記複数の要求セットは、約10000個の要求セットを含む請求項１に記載の方法。
【請求項９】
前記複数の要求セットのうちの一つの要求セットに含まれる要求の数は、前記複数の要求セットのうちの別の要求セットに含まれる要求の数とは異なる請求項１に記載の方法。
【請求項１０】
前記データトラフィック条件のそれぞれの下において前記リジェネレータ候補サイトのそれぞれごとに確率値を算出し、
前記リジェネレータ候補サイトのそれぞれごとに確率期待値を算出し、
前記リジェネレータ候補サイトのそれぞれごとに確率標準偏差を算出する、
ことをさらに含む請求項１に記載の方法。
【請求項１１】
請求項１に記載の方法を実行するために演算装置によって実行可能である、保存されたコンピュータ可読命令を有するコンピュータ可読ストレージ媒体。
【請求項１２】
予測不能なデータトラフィック条件下において光ネットワークのリジェネレータサイトを評価する方法であって、
前記光ネットワークに基づいてモデル化された、複数のリジェネレータ候補サイトを含む模擬ネットワークを生成し、
複数のデータトラフィック条件における複数の要求セットを前記模擬ネットワークに導入し、
前記リジェネレータ候補サイトのそれぞれがリジェネレータサイトとして選択される回数を記録し、
前記リジェネレータ候補サイトが選択された前記回数に基づいて前記リジェネレータ候補サイトのそれぞれごとに標準偏差加重確率期待値を算出する、
ことを含む方法。
【請求項１３】
前記標準偏差加重確率期待値に従って前記複数のリジェネレータ候補サイトをランク付け、
リジェネレータ候補サイトを前記光ネットワーク内のリジェネレータサイトとして選択する、
ことをさらに含む請求項１２に記載の方法。
【請求項１４】
前記標準偏差加重確率期待値を算出することは、
リジェネレータ候補サイトの確率値を、前記リジェネレータ候補サイトが選択された前記回数を前記複数の要求に含まれる要求セットの数によって除算した値として算出し、
確率期待値を、前記データトラフィック条件のそれぞれごとの前記確率値の合計を前記複数のデータトラフィック条件に含まれるデータトラフィック条件の数によって除算した値として算出し、
確率標準偏差を算出し、
前記確率期待値に、１から前記確率標準偏差を減算した値を乗算する、
ことを含む請求項１３に記載の方法。
【請求項１５】
前記リジェネレータ候補サイトが選択された前記回数に基づいてそれぞれのリジェネレータ候補サイトごとに確率標準偏差を算出し、
前記リジェネレータ候補サイトのそれぞれごとの前記確率標準偏差を示すサイト確率マップを生成する、
ことをさらに含む請求項１２に記載の方法。
【請求項１６】
前記模擬ネットワークに含まれる前記リジェネレータ候補サイトのそれぞれごとに、第２の複数のデータトラフィック条件における第２の複数の要求セットを前記模擬ネットワークに導入した際に前記リジェネレータ候補サイトがリジェネレータサイトとして選択された回数に基づいて確率標準偏差を算出し、
第２のサイト確率マップを生成し、
前記サイト確率マップを前記第２のサイト確率マップとマージする、
ことをさらに含む請求項１５に記載の方法。
【請求項１７】
前記光ネットワークの選択されたリジェネレータサイトのリストを受け取り、選択されたアルゴリズムにより、前記選択されたリジェネレータサイトのリストを生成し、
前記選択されたリジェネレータサイトのリストを前記加重確率期待値と比較して前記選択されたアルゴリズムを評価する、
ことをさらに含む請求項１２に記載の方法。
【請求項１８】
演算装置によって実行可能な保存されたコンピュータ可読命令を有するコンピュータ可読ストレージ媒体を有する光ネットワーク分析ツールであって、
リジェネレータ候補サイトを含む光ネットワークをモデル化した模擬ネットワークを生成し、
複数のデータトラフィック条件のそれぞれのデータトラフィック条件を前記模擬ネットワーク内において適用している間に、
複数の発信元／宛先ペアの間において伝送される複数の信号を導入し、
前記リジェネレータ候補サイトのそれぞれがリジェネレータサイトとして選択される回数を記録する、
ことを含む前記光ネットワークの分析を実施し、
前記リジェネレータ候補サイトのそれぞれが選択された前記回数を統計的に分析して統計分析情報を生成し、
前記統計分析情報を提示する、
ことを含む動作を実行する、光ネットワーク分析ツール。
【請求項１９】
前記統計分析情報は、前記リジェネレータ候補サイトのそれぞれごとに標準偏差加重確率期待値を有する請求項１８に記載の光ネットワーク分析ツール。
【請求項２０】
前記統計分析情報をリジェネレータサイト選択ランキングリスト内において提示する請求項１８に記載の光ネットワーク分析ツール。
【発明の詳細な説明】
【技術分野】
【０００１】
本明細書に記述されている実施形態は、光ネットワークにおけるリジェネレータサイト分析に関する。
【背景技術】
【０００２】
光ネットワークは、情報を光信号として伝達するために使用できる。いくつかの光ネットワークにおいては、光ファイバによって動作可能に結合されたノードのネットワークを通じて情報を伝達している。いくつかの光ネットワークにおいては、ノード間の距離及び／または光ファイバの特性が光信号の減衰または歪をもたらす場合がある。光信号の減衰または歪は、例えば、データ損失をもたらすことになる。ノードのうちの一つまたは複数のノードにリジェネレータを包含することにより、光信号を回復すると共に／または減衰または歪を補償できる。
【発明の概要】
【発明が解決しようとする課題】
【０００３】
伴う支出及び非効率性に起因し、リジェネレータは、光ネットワーク内のすべてのノードに設置しなくてもよい。したがって、いくつかの光ネットワークにおいては、リジェネレータサイトを特定のノードに決定される。従来のリジェネレータサイトの決定は、一般に、光ネットワークの予め計画された静的要求に基づいていた。光ネットワークにおける技術の進展に伴って、いくつかの光ネットワークは、再構成可能な光ネットワークなどの動的光ネットワークになっている。動的光ネットワークは、分散した制御装置を含む場合があり、かつ、光ネットワーク内における可変データトラフィック条件に対応した能力をさらに含む場合もある。動的光ネットワークにおいては、リジェネレータサイトを選択することが困難であろう。
【０００４】
本明細書において特許請求されている主題は、任意の欠点を解決するまたは上述のものなどの環境においてのみ動作する実施形態に限定されるものではない。むしろ、この背景の説明は、本明細書に記述されているいくつかの実施形態を実施してもよい一つの例示用の技術領域を示すために提供されたものに過ぎない。
【課題を解決するための手段】
【０００５】
一実施形態の一態様によれば、光ネットワーク分析ツールは、そのツールに保存されたコンピュータ可読命令を有するコンピュータ可読ストレージ媒体を含む。コンピュータ可読命令は、動作を実行するために演算装置によって実行可能である。動作は、光ネットワークをモデル化した模擬ネットワークを生成することを含む。模擬ネットワークは、リジェネレータ候補サイトを含む。また、動作は、光ネットワークの分析を実施することを含んでもよい。分析は、データトラフィック条件のセットのそれぞれを模擬ネットワーク内において適用しつつ、発信元／宛先ペアの間において送信される複数の信号を導入し、かつ、リジェネレータ候補サイトのそれぞれがリジェネレータサイトとして選択される回数を記録することを含む。また、動作は、リジェネレータ候補サイトのそれぞれが選択された回数を統計的に分析して統計分析情報を生成し、統計分析情報を提示することを含んでもよい。
【０００６】
実施形態の目的及び利点は、少なくとも請求項において具体的に指摘されている要素、特徴、及び組合せによって実現及び達成されることになる。
【０００７】
上述の一般的な説明及び以下の詳細な説明は、いずれも、例示及び説明を目的としたものであり、かつ、特許請求されている本発明の限定を目的としたものではないことを理解されたい。
【０００８】
添付図面を使用し、例示用の実施形態についてさらに具体的かつ詳細に記述及び説明することとする。
【図面の簡単な説明】
【０００９】
【図１】本明細書に記述されているいくつかの実施形態を実装可能な例示用の光ネットワークのブロックダイアグラムである。
【図２】図１の光ネットワークの分析を実施するために生成される例示用の要求セットを含む第１テーブルを示す。
【図３】図１の光ネットワーク上で実施される分析の例示用の入力及び例示用の結果を含む第２テーブルを示す。
【図４】図１の光ネットワークの分析の一部として生成されるリジェネレータサイト選択ランキングリストを示す。
【図５】図１の光ネットワークに基づいてモデル化された模擬ネットワークの例示用のプロットを示す。
【図６】確率分析に基づいたリジェネレータサイト選択の例示用の方法の流れ図である。
【図７】予測不能なデータトラフィック条件下において光ネットワークのリジェネレータサイトを評価する例示用の方法の流れ図である。
【図８】本明細書に記述されている少なくともいくつかの実施形態による光ネットワークの分析のために構成された例示用の演算装置を示すブロックダイアグラムである。
【発明を実施するための形態】
【００１０】
添付図面を参照し、本発明の実施形態について説明することとする。
【００１１】
図１は、本明細書に記述されているいくつかの実施形態を実装可能な例示用の光ネットワーク１００のブロックダイアグラムである。図１に示されている光ネットワーク１００は、バックボーン光ネットワークを含む。但し、この図示は、限定を意図したものではない。光ネットワーク１００は、終端ノードを有するポイントツーポイント光ネットワーク、リング光ネットワーク、メッシュ光ネットワーク、任意のその他の適切な光ネットワーク、または複数の光ネットワークの組合せを含んでもよい。さらには、光ネットワーク１００は、例えば、静的ネットワーク、準静的ネットワーク、または動的ネットワークを含んでもよい。動的ネットワーク及び準静的ネットワークにおいては、光ネットワークのデータトラフィック負荷は、時間に伴って変化してもよい。さらには、光ネットワーク１００は、いまだ構築されてはいない計画された光ネットワーク、既存の機能可能な光ネットワーク、またはいまだ構築されてはいない計画された拡張部を有する既存の機能可能な光ネットワークを含んでもよい。
【００１２】
光ネットワーク１００は、光信号を一つまたは複数のノード１０２Ａ〜１０２Ｅ（総合的に、ノード１０２と称する）の間において伝達してもよく、或いは、伝達するように構成されてもよい。ノード１０２は、ネットワークブリッジやコンピュータクラスタのコンポーネントなどの光ネットワーク１００内において複雑な機能を実行するネットワーク要素を含んでもよい。図１においては、光ネットワーク１００は、第１ノード１０２Ａ、第２ノード１０２Ｂ、第３ノード１０２Ｃ、第４ノード１０２Ｄ、及び第Ｎノード１０２Ｅを含んでもよい。第Ｎノード１０２Ｅが含まれていることは、事情が許す場合に、任意の所望の数のノード１０２を光ネットワーク１００に含んでもよいことを表すことを意図したものである。
【００１３】
ノード１２０のうちのいくつかのノードにおいて、リジェネレータを設置してもよい。例えば、リジェネレータは、ノード１０２のうちの一つまたは複数のノードにおける主要な装置または装置の一部分であってもよいと共に／または、ノードのうちの一つまたは複数のノードにおけるその他の装置との組合せにおいて設置されてもよい。但し、すべてのノード１０２においてリジェネレータを設置するのは、費用を所要し、かつ、光ネットワーク１００の動作を改善することにならない場合もある。即ち、光ネットワーク１００内の特定のノード１０２にリジェネレータを設置した場合に、性能が大幅に改善されることがあり、その他のノード１０２にリジェネレータを設置した場合には、光ネットワーク１００の性能が大幅に改善されないことがある。
【００１４】
したがって、光ネットワーク１００の分析を実行することにより、ノードのうちのいずれのノード１０２にリジェネレータを設置するのかを決定してもよい。さらに詳しくは、光ネットワーク１００をモデル化した模擬ネットワークについて分析を実行してもよい。以下、このような分析の例示用の態様のいくつかの更なる詳細について説明する。
【００１５】
ノード１０２は、リジェネレータ候補サイト１０４Ａ〜１０４Ｅ（総合的に、候補サイト１０４と称する）に配置してもよい。具体的には、図１に示されている光ネットワーク１００は、第１候補サイト１０４Ａ、第２候補サイト１０４Ｂ、第３候補サイト１０４Ｃ、第４候補サイト１０４Ｄ、及び第Ｎ候補サイト１０４Ｅを含む。第Ｎ候補サイト１０４Ｅを含んでいることは、状況が許す場合に、任意の所望の数の候補サイト１０４を光ネットワーク１００内に含んでもよいことを表すことを意図したものである。
【００１６】
候補サイト１０４のそれぞれは、一般に、一つまたは複数のノード１０２を配置してもよい都市などの物理的な場所を含む。候補サイト１０４は、本明細書に記述されている光ネットワーク１００の分析の際に検討対象となってもよい物理的な場所を意味している。したがって、模擬ネットワークを含む分析においては、模擬ネットワーク内に候補サイト１０４のみを含んでもよい。光ネットワーク１００の分析においては、候補サイト１０４におけるノード１０２と単なる候補サイト１０４の間は、基本的に区別されない。例えば、分析の結果は、第１候補サイト１０４Ａがリジェネレータサイトとして適切であることを通知してもよい。この結果は、第１候補サイト１０４Ａに配置されている第１ノード１０２Ａがリジェネレータサイトとして適切であると解釈してもよい。光ネットワーク１００の分析において候補サイト１０４を使用することにより、いくつかの更なる実際的な考慮事項を分析において含めることが可能となる。
【００１７】
図１は、すべての物理的場所が候補サイト１０４として表されている光ネットワーク１００の一実施形態を示している。但し、代替実施形態においては、光ネットワーク１００は、更なる物理的場所を含んでもよく、これらの物理的場所は、ノード１０２を含んでもよく、または含まなくてもよく、候補サイト１０４でなくてもよい。例えば、光ネットワーク１００は、本明細書に記述されている分析における検討対象ではない物理的場所を含んでもよい。
【００１８】
ノード１０２同士は、一つまたは複数の光ファイバ１０６を介して通信可能に結合されてもよい。光ネットワーク１００は、ノード１０２同士の間に、例えば、光ネットワーク１００内における光信号の通信に関係する動作を実行する様々なネットワーク要素（図示されてはいない）を含んでもよい。合計で、光ネットワーク１００は、そのそれぞれがノード１０２のうちの一つを含む５つの候補サイト１０４を含む。但し、これは、限定を意図したものではない。具体的には、図１においては、二つのギャップ１０８が第１候補サイト１０４Ａと第Ｎ候補サイト１０４Ｅの間及び第４候補サイト１０４Ｄと第Ｎ候補サイト１０２Ｅの間に含まれている。二つのギャップ１０８は、光ネットワーク１００が、図１に示されているものに加えて、更なる光ファイバ１０６、ノード１０２、候補サイト１０４などを含んでもよいことを示している。総体として、光ネットワーク１００は、任意の数のノード１０２及び／または候補サイト１０４を含んでもよい。特定の例として、光ネットワーク１００は、米国などの国全体をカバーする７５個の候補サイト１０４などの特定数の候補サイト１０４を有する全国的なバックボーン光ネットワークとして実装されてもよい。
【００１９】
光ネットワーク１００に基づいてモデル化された模擬ネットワーク（図示されてはいない）を生成してもよい。模擬ネットワークは、光ネットワーク１００の動作を実質的にモデル化したコンピュータに基づいたシミュレーションを含んでもよい。さらには、模擬ネットワークは、光ネットワーク１００の模擬要素及び／または模擬コンポーネントを含んでもよい。例えば、光ネットワーク１００に基づいてモデル化された模擬ネットワークは、光ネットワーク１００のノード１０２、光ファイバ１０６、及び候補サイト１０４のシミュレーションを含む。確率に基づいた分析を模擬ネットワークに対して実行することにより、例えば、光ネットワーク１００を最適化するかまたは光ネットワーク１００の他のプランを立ててもよい。いくつかの実施形態においては、模擬ネットワークは、光ネットワーク分析ツールに内蔵されてもよいと共に／または、光ネットワーク分析ツールによって生成してもよい。光ネットワーク分析ツールにより、確率に基づいた分析を模擬ネットワークに対して実行してもよい。
【００２０】
模擬ネットワークにおいて分析してもよい光ネットワーク１００の一つの態様がリジェネレータサイトの選択であってよい。例えば、模擬ネットワークにおけるリジェネレータサイトの選択は、確率分析に基づいたものであってもよい。一般に、確率に基づいたリジェネレータサイトの選択は、複数のデータトラフィック条件における複数の要求セットを模擬ネットワークを通じて稼働させることにより、実施してもよい。確率に基づいたリジェネレータサイトの選択を実施することにより、例えば、リジェネレータサイトの場所を最適化するかまたは他に計画されてもよい。確率に基づいたリジェネレータサイトの選択の結果を、そのいくつかの詳細事項が後述されるその他のアプリケーションにおいてさらに使用してもよい。
【００２１】
図２は、図１の光ネットワーク１００の分析を実施するために生成してもよい例示用の要求セット２０２を含む第１テーブル２００を示している。要求セット２０２のそれぞれは、一つまたは複数の要求２０４を含んでもよい。一般に、要求２０４のそれぞれは、発信元２０６から宛先２０８に伝送される信号を含む。したがって、要求は、発信元／宛先のペアとして表してもよい。図１及び図２を一緒に参照すれば、光ネットワーク１００の分析は、光ネットワーク１００に基づいてモデル化された模擬ネットワークに要求２０４を導入することを含んでもよい。要求２０４を模擬ネットワークに導入することにより、信号を発信元２０６から宛先２０８に伝送するために、それぞれの要求２０４ごとにリジェネレータを必要としているのかと、いずれの候補サイト１０４にリジェネレータを配置するのかと、を判定してもよい。
【００２２】
再度図２を参照すれば、第１テーブル２００内に含まれているのは、第１の要求セット２０２Ａ、第２の要求セット２０２Ｂ、及び第Ｎの要求セット２０２Ｃであり、これらは、いずれも、要求セット２０２のインスタンスを表している。省略符号及び第Ｎの要求セット２０２Ｃを含んでいることは、任意の数の要求セット２０２が存在してもよいことを表すことを意図したものである。要求セット２０２は、要求２０４を含む。具体的には、第１テーブル２００において、要求２０４は、第１の要求セット２０２Ａ内に、第１要求２０４Ａ、第２要求２０４Ｂ、及び第Ｎ要求２０４Ｃを含む（図２においては、第１セット−第１要求２０４Ａ、第１セット−第２要求２０４Ｂ、第１セット−第Ｎ要求２０４Ｃ）。同様に第２の要求セット２０２Ｂ及び第Ｎの要求セット２０２Ｃは、第１要求２０４Ｄ、２０４Ｇ、第２要求２０４Ｅ、２０４Ｈ、及び第Ｎ要求２０４Ｆ、２０４Ｉを含む（図２においては、第２セット−第１要求２０４Ｄ、第２セット−第２要求２０４Ｅ、第２セット−第Ｎ要求２０４Ｆ、第Ｎセット−第１要求２０４Ｇ、第Ｎセット−第２要求２０４Ｈ、第Ｎセット−第Ｎ要求２０４Ｉ）。省略符号及び第Ｎ要求２０４Ｃ、２０４Ｆ、及び２０４Ｉを含んでいることは、それぞれの要求セット２０２が任意の所望の数の要求２０４を含んでもよいことを表すことを意図したものである。
【００２３】
第１の要求セット２０２Ａ、第２の要求セット２０２Ｂ、及び第Ｎの要求セット２０２Ｃのそれぞれは、少なくとも部分的に互いに異なっていてもよい。即ち、第１の要求セット２０２Ａは、第２の要求セット２０２Ｂに含まれている要求２０４のなんらかのサブセットを含んでもよいが、全体として、第１の要求セット２０２Ａは、第２の要求セット２０２Ｂと異なっていてもよい。さらには、それぞれの要求セット２０２内の要求２０４の数は、異なっていてもよい。例えば、第１の要求セット２０２Ａは、１００個の要求といった第１の数の要求２０４を含んでもよく、第２の要求セット２０２Ｂは、８０個の要求といった第２の異なる数の要求２０４を含んでもよく、かつ、第Ｎの要求セット２０２Ｃは、４０個の要求といった第３の異なる数の要求を含んでもよい。さらには、いくつかの実施形態においては、いずれの要求２０４がそれぞれの要求セット２０２に含まれるのかをランダムにまたは疑似ランダムに決定してもよい。
【００２４】
要求２０４は、それぞれ、発信元／宛先ペアを構成する発信元２０６及び宛先２０８を含む。具体的には、第１の要求セット２０２Ａのうちの第１の要求セット２０２Ａ、第２の要求セット２０２Ｂ、及び第Ｎの要求セット２０２Ｃのそれぞれは、第１、第２、及び第Ｎの発信元と、第１、第２、及び第Ｎの宛先と、を含む（図２においては、第１セット−第１発信元２０６Ａ、第１セット−第２発信元２０６Ｂ、第１セット−第Ｎ発信元２０６Ｃ、第２セット−第１発信元２０６Ｄ、第２セット−第２発信元２０６Ｅ、第２セット−第Ｎ発信元２０６Ｆ、第Ｎセット−第１発信元２０６Ｇ、第Ｎセット−第２発信元２０６Ｈ、第Ｎセット−第Ｎ発信元２０６Ｉ、第１セット−第１宛先２０８Ａ、第１セット−第２宛先２０８Ｂ、第１セット−第Ｎ宛先２０８Ｃ、第２セット−第１宛先２０８Ｄ、第２セット−第２宛先２０８Ｅ、第２セット−第Ｎ宛先２０８Ｆ、第Ｎセット−第１宛先２０８Ｇ、第Ｎセット−第２宛先２０８Ｈ、第Ｎセット−第Ｎ宛先２０８Ｉ）。
【００２５】
発信元２０６及び／または宛先２０８は、模擬ネットワーク内に含まれる候補サイトであってよい。模擬ネットワークに含まれる候補サイトは、ノードを黙示的に含んでもよい。図１及び図２を一緒に参照すれば、発信元２０６及び宛先２０８は、候補サイト１０４及び／または候補サイト１０４に含まれているノード１０２を含んでもよい。例えば、第１の要求セット２０２Ａの第１要求２０４Ａは、第４候補サイト１０４Ｄに対応する第１発信元２０６Ａを含んでもよい。同様に、第１の要求セット２０２Ａの第１宛先２０８Ａは、第３候補サイト１０４Ｃに対応していてもよい。したがって、第１要求２０４Ａは、相応して、第３候補サイト１０４Ｃに対する第４候補サイト１０４Ｄの発信元／宛先ペアを含んでもよい。大きく見れば、第１要求２０４Ａは、第４候補サイト１０４Ｄから第３候補サイト１０４Ｃに伝送される信号を含んでもよい。
【００２６】
候補サイト１０４は、発信元２０６のうちの一つまたは宛先２０８のうちの一つのみであることに限定されるものではない。その代わりに、候補サイト１０４は、一般に、いくつかの要求２０４における宛先２０６及び他の要求２０４における宛先２０８であってもよい。例えば、第１要求２０４Ａの第１発信元２０６Ａであってもよい候補サイト１０４は、第２要求２０４Ｂの第２宛先２０８Ｂであってもよく、同様に、第１要求２０４Ａにおける第１宛先２０８Ａであってもよい候補サイト１０４は、第２要求セット２０２Ｂの第Ｎ発信元２０６Ｆであってもよく、以下同様である。
【００２７】
第１テーブル２００は、図１の光ネットワーク１００の分析を実施するために生成してもよいデータトラフィック条件２１０をさらに含む。データトラフィック条件２１０は、第１データトラフィック条件２１０Ａ、第２データトラフィック条件２１０Ｂ、及び第Ｎデータトラフィック条件２１０Ｎを含んでもよい。データトラフィック条件２１０のそれぞれは、例えば、低レベルのデータトラフィック、中程度のレベルのデータトラフィック、高レベルのデータトラフィックなどを含んでもよい。第Ｎデータトラフィック条件２１０Ｃを含んでいることは、任意の所望の数のデータトラフィック条件２１０を第１テーブル２００内に含んでもよいことを表すことを意図したものである。
【００２８】
図３は、図１の光ネットワーク１００に対して実施してもよい分析の例示用の入力３０６と結果３０８を含む第２テーブル３００を示している。この及びその他の実施形態においては、この例における光ネットワーク１００などの対応する光ネットワークをモデル化した模擬ネットワークを生成することにより、分析を実施してもよい。入力３０６に含まれているのは、結果を生成するかまたはその他の方法で得るための模擬ネットワークに関する分析において導入または適用される情報または値であってよい。第２テーブル３００において、入力３０６は、図２の第１テーブル２００のデータトラフィック条件２１０と、図２の第１テーブル２００の要求セット２０２と、を含む。第２テーブル３００に示されているように、データトラフィック条件２１０のそれぞれごとに、第１の要求セット２０２Ａ、第２の要求セット２０２Ｂ、及び第Ｎの要求セット２０２Ｃが反復されている。これは、分析の際には、それぞれのデータトラフィック条件２１０を模擬ネットワーク内において適用している間に、要求セット２０２のそれぞれを模擬ネットワークに導入してもよいことを表すことを意図したものである。
【００２９】
また、第２テーブル３００は、模擬ネットワーク内に含まれている候補サイト３０２を一覧表示した「候補サイト３０２」というラベルが付与された列をも含む。例えば、図１及び図３を一緒に参照すれば、模擬ネットワークは、光ネットワーク１００をモデル化したものであってもよい。したがって、「候補サイト３０２」というラベルが付与された列内に一覧表示された候補サイト３０２は、図１の候補サイト１０４を含んでもよい。再度図３を参照すれば、要求セット２０２と同様に、候補サイト３０２も、それぞれのデータトラフィック条件２１０ごとに、反復されている。
【００３０】
「選択された回数３０４」というラベルが付与された最後の列は、分析の際に候補サイト３０２のそれぞれがリジェネレータサイトとして選択された回数を示す定数３０４Ａ〜３０４Ｉを含む。例えば、第１定数３０４Ａは、第１データトラフィック条件２０１Ａを適用している間に第１の要求セット２０２Ａを模擬ネットワークに導入した際に第１候補サイト３０２Ａが選択された回数に対応している。
【００３１】
図２及び図３を一緒に参照すれば、いくつかの分析においては、データトラフィック条件２１０のそれぞれを模擬ネットワーク内において適用してもよい。データトラフィック条件２１０のそれぞれを適用している間に、要求セット２０２を模擬ネットワークに導入してもよい。上述のように、要求セット２０２のそれぞれは、要求２０４を含む。要求２０４は、それぞれの発信元／宛先ペアの発信元２０６から宛先２０８に送信される信号を含む。要求２０４の宛先２０８が発信元２０６から到達可能である場合には、いずれのリジェネレータサイトも選択されない。但し、要求２０４の宛先２０８に到達できない場合には、発信元２０６と宛先２０８の間の候補サイト３０２のうちの一つからリジェネレータサイトを選択してもよい。
【００３２】
例えば、図１〜図３を一緒に参照すれば、中程度のレベルのデータトラフィックを含んでもよい第２データトラフィック条件２１０Ｂを模擬ネットワーク内において適用してもよく、かつ、第２の要求セット２０２Ｂを模擬ネットワークに導入してもよい。第２の要求セット２０２Ｂは、第１要求２０４Ｄを含み、第１要求２０４Ｄは、発信元２０６Ｄとして第３候補サイト１０４Ｃを、そして、宛先２０８Ｄとして第２候補サイト１０４Ａを含んでもよい。第１要求２０４Ｄを模擬ネットワークに導入した際に、第２候補サイト１０４Ｂまたは第４候補サイト１０４Ｄをリジェネレータサイトとして選択することにより、第３候補サイト１０４Ｃから第１候補サイト１０４Ａへの途上の信号を再生してもよい。いくつかの実施形態においては、例えば、リジェネレータ割当アルゴリズムによってリジェネレータサイトを選択してもよい。
【００３３】
同様の方式により、それぞれの要求セット２０２の要求２０４のそれぞれをデータトラフィック条件２１０のそれぞれにおいて模擬ネットワークに導入する。それぞれの要求セット２０２において、それぞれの候補サイト３０２がリジェネレータサイトとして選択された回数を「選択された回数３０４」というラベルが付与された列内に記録する。
【００３４】
候補サイトのそれぞれがリジェネレータサイトして選択された回数を統計的に分析してもよい。例えば、それぞれの候補サイト３０２ごとに、確率値、確率期待値、確率標準偏差、標準偏差加重確率期待値(Standard Deviation−weighted Probability Expectation, SDPE)、またはこれらのなんらかの組合せを候補サイトのそれぞれがリジェネレータサイトとして選択された回数に基づいて算出してもよい。
【００３５】
それぞれの候補サイト３０２の確率値を、次の例示用の式によって表してもよい。
【数１】
2014039242.tif 000003
【００３６】
上記の式において、piは、データトラフィック条件２１０のうちの一つのデータトラフィック条件における候補サイト３０２のうちの一つの候補サイトの確率値を表している。ｉの値は、データトラフィック条件２１０に対応した整数を含むように増分的に変更される。例えば、第１データトラフィック条件２１０Ａは、１の値を有するｉによって表してもよい。さらには、第２データトラフィック条件２１０Ｂは、２の値を有するｉによって表表してもよい。したがって、p1は、第１データトラフィック条件２１０Ａにおける候補サイト３０２のうちの一つ候補サイトの確率値を表しており、かつ、p2は、第２データトラフィック条件２１０Ｂにおける候補サイト３０２のうちの一つの候補サイトの確率値を表している。「number_of_times_selected」は、候補サイト３０２がデータトラフィック条件２１０においてリジェネレータサイトとして選択された回数を示す定数３０４のうちの一つの定数を表している。「total_demands_under_traffic_condition」は、データトラフィック条件２１０において模擬ネットワークに導入されたすべての要求セット２０２における全体のまたは合計の要求の数を表している。例えば、それぞれ、第１数の要求、第２数の要求、及び第３数の要求を有する３つの要求セット２０２Ａ〜２０２Ｃが存在してもよい。例示用の実施形態においては、第１、第２、及び第３数の要求は、それぞれ、１００、１００、及び１５０であってもよい。したがって、この特定の例においては、total_demands_under_traffic_conditionは３５０に等しいが、その他の実施形態においては、total_demands_under_traffic_conditionは、要求セットの数及びそれぞれの要求セット内の要求の数に応じて異なってもよい。
【００３７】
さらには、またはこの代わりに、それぞれの候補サイト３０２の確率期待値は、次の例示用の式によって表してもよい。
【数２】
2014039242.tif 000004
【００３８】
上述の式において、μは、それぞれの候補サイト３０２の確率期待値を表している。さらには、ｐiは、上述のように、データトラフィック条件２１０のうちの一つのデータトラフィック条件における候補サイト３０２のうちの一つの候補サイトの確率値を表している。さらには、ｎは、データトラフィック条件２１０の全体のまたは合計の数を表している。Σは、すべてのデータトラフィック条件２１０からのそれぞれの確率値ｐiの合計を表している。
【００３９】
それぞれの候補サイト３０２の確率標準偏差は、次の例示用の式によって表してもよい。
【００４０】
【数３】
2014039242.tif 000005
【００４１】
上記の式において、σは、確率標準偏差を表している。上記の式に含まれているその他の変数は、上述したとおりである。
【００４２】
それぞれの候補サイト３０２のSDPEは、次の例示用の式によって表してもよい。
SDPE＝(1-σ)×μ
【００４３】
上記式中のSDPEは、SDPEを表している。上記の式に含まれているその他の値μ及びσは、上述したとおりである。SDPE用の上記の式は、候補サイト３０２のそれぞれが選択された回数から導出してもよいと共にリジェネレータサイトを選択する際に使用してもよい一つのパラメータに過ぎない。代替実施形態においては、リジェネレータを選択する際に使用してもよい別のパラメータを算出してもよい。例えば、標準偏差ではなく、このパラメータにより、確率期待値μを重み付けしてもよい。
【００４４】
統計的分析は、様々な方法によって使用してもよい。いくつかの実施形態においては、統計的分析を使用することにより、光ネットワーク内のリジェネレータサイトを選択してもよい。例えば、SDPEに少なくとも部分的に基づいて、候補サイト３０２のうちの一つまたは複数の候補サイトを光ネットワークのリジェネレータサイトとして選択してもよい。光ネットワーク内のリジェネレータサイトの選択に伴ういくつかの更なる詳細事項については、後述する。さらには、またはこの代わりに、統計的分析を使用することにより、他の方法によってリジェネレータサイトのリストを生成する選択アルゴリズムを評価してもよい。
【００４５】
テーブル２００及び３００は、一例としてのみ、提供したものであり、かつ、分析の実施形態または分析を実行するツールを限定することを意図したものではない。実際に、いくつかの実施形態においては、分析において、ここに示されているように、テーブル２００または３００から入力を受け取らなくてもよく、テーブルから全く入力を受け取らなくてもよく、ここに示されているように、テーブル２００または３００を生成しなくてもよく、或いは、テーブルを全く生成しなくてもよい。
【００４６】
図４は、図１の光ネットワーク１００の分析の一部として生成してもよいリジェネレータサイト選択ランキングリスト（ランキングリスト）４００を示している。一般に、ランキングリスト４００は、光ネットワーク１００に関して実施される分析の結果を編集したものであってよい。ランキングリスト４００は、候補サイト３０２を含んでもよい。候補サイト３０２は、図３の候補サイト３０２に対応している。また、ランキングリスト４００は、候補サイト３０２のそれぞれごとにSDPE値４０２を含んでもよい。一般に、SDPE値４０２は、０〜１の値であってよい。SDPE値４０２は、候補サイト３０２が分析の際に選択された回数の通知を提供してもよい。いくつかの実施形態においては、１に近いSDPE値４０２は、候補サイト３０２が、０に近いSDPE値４０２を有する別の候補サイト３０２よりも、分析の際に、相対的に大きな規則性を伴って、リジェネレータサイトとして選択されたことを示すことになろう。
【００４７】
代替実施形態においては、SDPEを算出する代わりにまたはこれに加えて、分析において、候補サイト３０２用の一つまたは複数の他の統計値を算出してもよい。したがって、ランキングリスト４００は、その他の統計値を含んでもよい。
【００４８】
また、ランキングリスト４００は、「SDPEランキング４０４」というラベルが付与された列を含んでもよく、この列内において、候補サイト３０２をSDPE値４０２に従ってランク付けしてもよい。「SDPEランキング４０４」というラベルが付与された列は、候補サイト３０２をSDPE値４０２に従ってランク付けした順序を示す値を含んでもよい。例えば、第１のSDPE４０２Ａが、第２のSDPE４０２Ｂ〜第ＮのSDPE４０２Ｃを上回っている場合には、第１SDPEランキング４０４Ａは、「１位」という用語を含んでもよい。
【００４９】
いくつかの実施形態においては、候補サイト３０２のSDPE値４０２との関係において閾値を判定してもよい。閾値は、その値より大きいと候補サイト３０２のSDPE値４０２が、例えば、リジェネレータサイトの構築を正当化することが十分に高くなる値であってよい。いくつかの実施形態においては、閾値は、0.35であってもよく、或いは、なんらかの他の値であってもよい。
【００５０】
例えば、図１の光ネットワーク１００などの光ネットワークにおいて、計画者は、SDPE値４０２が0.35という例示用の閾値を上回っている候補サイト３０２のみにリジェネレータを設置してもよい。0.35またはその他の閾値を上回るSDPE値４０２は、模擬ネットワーク内における分析の際に候補サイト３０２が特定の回数または割合を上回って選択されたことを通知している。さらには、閾値により、特定の候補サイト３０２を検討対象から除去してもよい。例えば、SDPE値４０２が閾値を下回っている際には、候補サイト３０２が選択された回数または割合は、候補サイト３０２におけるリジェネレータの構築を正当化するためには、小さ過ぎるであろう。
【００５１】
さらには、またはこの代わりに、ランキングリスト４００によれば、実際的な検討項目に適合するように、ランキングリスト４００内の値を変更することも可能であろう。いくつかの実施形態においては、ユーザーは、電気ガス水道などの利用可能性、有利な税制、既存の施設などの実際的な検討項目を入力してもよい。実際的な検討項目により、対応する候補サイト３０２のSDPE値４０２を変更してもよい。次いで、候補サイト３０２が選択された回数並びに実際的な条件から算出されたSDPE値４０２に基づいて、候補サイト３０２を再度ランク付けしてもよい。
【００５２】
さらには、またはこの代わりに、統計分析情報を提示してもよい。例えば、図５は、図１の光ネットワーク１００に基づいてモデル化された模擬ネットワークの例示用のプロット１００Ａを示している。図５のプロット１００Ａにおいて、候補サイト１０４Ａ〜１０４Ｅは、図１の候補サイト１０４に対応している。プロット１００Ａにおいて、第１候補サイト１０４Ａ、第２候補サイト１０４Ｂ、及び第４候補サイト１０４Ｄは、閾値を上回るSDPE値を有する候補サイト１０４として識別されている。第１候補サイト１０４Ａ、第２候補サイト１０４Ｂ、及び第４候補サイト１０４Ｄが閾値を上回るSDPE値を含むことを強調表示するために、星形５０２、５０４、及び５０６によってそれぞれを取り囲んでいる。さらには、星形５０２、５０４、及び５０６のサイズは、相対的なSDPE値を示してもよい。プロット１００Ａにおいて、星形のうちの二つ５０２及び５０４は、第３の星形５０６よりも大きく、これにより、例えば、第１候補サイト１０４Ａ及び第２候補サイト１０４ＢのSDPE値が第４候補サイト１０４ＤのSDPE値を上回っていることを示している。
【００５３】
星形５０２、５０４、及び５０６の使用は、限定を意図したものではない。代替実施形態においては、統計分析情報のなんらかのサブセットの任意のその他の視覚的表現をプロット１００Ａ内に含んでもよい。例えば、プロット１００Ａは、相対的な値を伝達するために、様々な色、サイズ、形状、またはその他の特性を含んでもよい。
【００５４】
さらには、またはこの代わりに、サイト確率マップを生成してもよい。サイト確率マップは、実質的に、図５のプロット１００Ａと同一の外観を有してもよい。但し、サイト確率マップは、例えば、候補サイト１０４の確率標準偏差の視覚的表現を含んでもよい。サイト確率マップは、候補サイト１０４がリジェネレータサイトとして選択される確率を視覚的に表してもよい。
【００５５】
さらには、上述のように、異なる数の要求、トラフィック状態、異なる要求、またはこれらのなんらかの組合せを使用することにより、複数の分析を実施してもよい。それぞれの分析からの候補サイト１０４の確率標準偏差をマージして分析の結果を比較すると共に分析の安定性を向上させてもよい。いくつかの実施形態においては、分析をサイト確率マップ内においてマージしてもよい。
【００５６】
図６は、確率分析に基づいたリジェネレータサイト選択の例示用の方法６００の流れ図である。方法６００は、いくつかの実施形態においては、後述する光学分析ツールまたは演算装置８００によって実装してもよい。方法６００は、ブロック６０２、６０４、６０６、６０８、及び／または６１０のうちの一つまたは複数によって示されているように、様々な動作、機能、または操作を含む。方法６００は、ブロック６０２において開始してもよい。
【００５７】
ブロック６０２（「複数のデータトラフィック条件を生成」）において、複数のデータトラフィック条件を生成してもよい。データトラフィック条件は、限定を伴うことなしに、低レベルのデータトラフィック、中程度のレベルのデータトラフィック、高レベルのデータトラフィックなどを含む様々なレベルのデータトラフィックを含んでもよい。
【００５８】
ブロック６０４（「複数の要求セットを生成」）において、複数の要求セットを生成してもよい。いくつかの実施形態においては、要求セットの数は、約１０，０００個の要求セットを含んでもよい。さらには、要求セットのうちの少なくとも二つの要求セットに含まれる要求の数は、変化してもよい。
【００５９】
ブロック６０６（リジェネレータ候補サイトを含む模擬ネットワーク内においてデータトラフィック条件のそれぞれを適用しつつ、要求セットのそれぞれを模擬ネットワークに導入し、かつ、リジェネレータ候補サイトのそれぞれがリジェネレータサイトとして選択される回数を記録」）において、データトラフィック条件のそれぞれを模擬ネットワーク内において適用してもよい。模擬ネットワークは、リジェネレータ候補サイトを含む。データトラフィック条件のそれぞれを模擬ネットワーク内において適用しつつ、要求セットのそれぞれを模擬ネットワークに導入してもよい。さらには、リジェネレータ候補サイトのそれぞれがリジェネレータサイトとして選択される回数を記録してもよい。いくつかの実施形態においては、模擬ネットワークは、動的ネットワークまたは準静的ネットワークをモデル化したものであってもよい。
【００６０】
ブロック６０８（「リジェネレータ候補サイトがリジェネレータサイトとして選択された回数を統計的に分析」）において、リジェネレータ候補サイトのそれぞれが選択された回数を統計的に分析してもよい。統計的分析は、それぞれのリジェネレータ候補サイトごとに、SDPE値、確率値、確率期待値、確率標準偏差、またはこれらのなんらかの組合せを算出することを含んでもよい。
【００６１】
ブロック６１０（「少なくとも部分的に統計分析に基づいてリジェネレータ候補サイトからリジェネレータサイトを選択」）において、少なくとも部分的に統計的分析に基づいてリジェネレータ候補サイトからリジェレネータサイトを選択してもよい。
【００６２】
当業者は、本明細書に開示されているこの及びその他の手順及び方法においては、プロセス及び方法において実行される機能を異なる順序において実装してもよいことを理解するであろう。さらには、概説されているステップ及び動作は、例として提供されたものに過ぎず、かつ、ステップ及び動作のいくつかは、開示されている実施形態を逸脱することなしに、任意選択であってもよく、さらに少ない数のステップ及び動作に組み合わせてもよく、或いは、更なるステップ及び動作に拡張されてもよい。
【００６３】
例えば、いくつかの実施形態においては、方法６００は、SDPE値に従ってリジェネレータ候補サイトをランク付けすることをさらに含んでもよい。また閾値判定を行ってもよい。閾値は、例えば、リジェネレータサイトがその値よりも大きいと経済的に存続可能であってよいSDPE値を含んでもよい。これらの及びその他の実施形態においては、ブロック６１０において少なくとも部分的に統計的分析に基づいてリジェネレータサイトを選択することは、閾値を上回るSDPE値を含むリジェネレータサイトを選択することを含んでもよい。
【００６４】
さらには、またはこの代わりに、ランキングリストを生成してもよい。このランキングリストにおいて、SDPE値に基づいてリジェネレータ候補サイトをランク付けしてもよい。さらには、ランキングリストにおいて、実際的な検討項目に基づいてSDPE値を変更できるようにしてもよい。いくつかの実施形態においては、SDPE値に従ってリジェネレータ候補サイトをプロットしてもよい。
【００６５】
図７は、本明細書に記述されている少なくともいくつかの実施形態に従って構成された予測不能なデータトラフィック条件下において光ネットワークのリジェネレータサイトを評価する例示用の方法７００の流れ図である。方法７００は、いくつかの実施形態においては、後述する光学分析ツールまたは演算装置８００において実装されてもよい。方法７００は、ブロック７０２、７０４、７０６、及び／または７０８の一つまたは複数によって示されているように、様々な動作、機能、または操作を含む。方法７００は、ブロック７０２において開始してもよい。
【００６６】
ブロック７０２（「光ネットワークに基づいてモデル化された複数のリジェネレータ候補サイトを含む模擬ネットワークを生成」）において、模擬ネットワークを生成してもよい。模擬ネットワークは、複数のリジェネレータ候補サイトを含んでもよい。模擬ネットワークは、光ネットワークに基づいてモデル化したものであってもよい。
【００６７】
ブロック７０４（「複数のデータトラフィック条件における複数の要求セットを模擬ネットワークに導入」）において、複数の要求セットを模擬ネットワークに導入してもよい。複数の要求セットは、複数のデータトラフィック条件において導入してもよい。
【００６８】
ブロック７０６（「リジェネレータ候補サイトのそれぞれがリジェネレータサイトとして選択される回数を記録」）において、リジェネレータ候補サイトのそれぞれがリジェネレータとして選択された回数を記録してもよい。
【００６９】
ブロック７０８（「リジェネレータ候補サイトが選択された回数に基づいてリジェネレータ候補サイトのそれぞれごとに標準偏差加重確率期待値(Standard Deviation-weighted Probability Expectation, SDPE)を算出」）において、SDPE値を算出してもよい。いくつかの実施形態においては、SDPE値は、リジェネレータ候補サイトのそれぞれごとに算出してもよい。SDPEは、リジェネレータ候補サイトが選択された回数に基づいたものであってよい。
【００７０】
さらには、いくつかの実施形態においては、SDPE値に従ってリジェネレータ候補サイトをランク付けしてもよい。リジェネレータ候補サイトを光ネットワーク内のリジェネレータサイトとして選択してもよい。
【００７１】
いくつかの実施形態においては、リジェネレータ候補サイトの確率値を算出してもよい。例えば、確率値は、リジェネレータ候補サイトが選択された回数を複数の要求に含まれている要求セットの数によって除算したものとして算出してもよい。さらには、確率期待値を算出してもよい。例えば、確率期待値は、データトラフィック条件のそれぞれごとの確率値の合計を複数のデータトラフィック条件に含まれているデータトラフィック条件の数によって除算したものとして算出してもよい。さらには、いくつかの実施形態においては、確率標準偏差を算出してもよい。確率標準偏差は、リジェネレータ候補サイトが選択された回数に基づいてそれぞれのリジェネレータ候補サイトごとに算出してもよい。サイト確率マップを生成し、これにより、リジェネレータ候補サイトのそれぞれごとに確率標準偏差を示してもよい。サイト確率マップは、リジェネレータサイトをリジェネレータサイトとして選択してもよい尤度を視覚的に示してもよい。
【００７２】
いくつかの実施形態においては、要求セットのうちの別のセットをデータトラフィック条件の別のセットにおいて模擬ネットワークに導入してもよい。第２のサイト確率マップを生成すると共にサイト確率マップとマージしてもよい。
【００７３】
さらには、またはこの代わりに、いくつかの実施形態においては、光ネットワークの選択されたリジェネレータサイトのリストを受け取ってもよい。選択アルゴリズムにより、選択されたリジェネレータサイトのリストを生成してもよい。選択されたリジェネレータサイトのリストをＳＤＰＥと比較して選択アルゴリズムを評価してもよい。
【００７４】
図８は、本開示による図１の光ネットワーク１００などの光ネットワークの分析のために構成された例示用の演算装置８００を示すブロックダイアグラムである。基本構成８０２において、演算装置８００は、通常、一つまたは複数のプロセッサ８０４と、システムメモリ８０６と、を含む。プロセッサ８０４とシステムメモリ８０６の間の通信のためにメモリバス８０８を使用してもよい。
【００７５】
所望の構成に応じて、プロセッサ８０４は、限定を伴うことなしに、マイクロプロセッサ（μＰ）、マイクロコントローラ（μＣ）、デジタル信号プロセッサ（DSP）、またはこれらの任意の組合せを含む任意のタイプであってよい。プロセッサ８０４は、レベル１キャッシュ８１０及びレベル２キャッシュ８１２などの一つまたは複数のキャッシュのレベル、プロセッサコア８１４、及びレジスタ８１６を含んでもよい。例示用のプロセッサコア８１４は、演算装置（Arithmetic Logic Unit, ALU）、浮動小数点演算装置（Floating Point Unit, FPU）、デジタル信号処理コア（DSP Core）、またはこれらの任意の組合せを含んでもよい。また、例示用のメモリコントローラ８１８をプロセッサ８０４と共に使用してもよく、或いは、いくつかの実装形態においては、メモリコントローラ８１８は、プロセッサ８０４の内部のコンポーネントであってもよい。
【００７６】
所望の構成に応じて、システムメモリ８０６は、限定を伴うことなしに、揮発性メモリ（ＲＡＭなど）、不揮発性メモリ（ＲＯＭやフラッシュメモリなど）、またはこれらの任意の組合せを含む任意のタイプであってよい。システムメモリ８０６は、オペレーティングシステム８２０、一つまたは複数のアプリケーション８２２、及びプログラムデータ８２４を含んでもよい。アプリケーション８２２は、光ネットワーク分析を提供するように構成されたリジェネレータ分析アプリケーション８２６を含んでもよい。プログラムデータ８２４は、本明細書に記述されている光ネットワーク分析に有用であってよいデータトラフィック条件及び／または要求セット８２８（図８の「データトラフィック条件」）を含んでもよい。いくつかの実施形態においては、アプリケーション８２２は、オペレーティングシステム８２０上においてプログラムデータ８２４と共に稼働するように構成してもよく、この結果、光ネットワーク分析を演算装置８００上において実行してもよい。この説明対象である基本構成８０２は、図８においては、四角で囲まれた領域内のコンポーネントによって示されている。
【００７７】
演算装置８００は、基本構成８２０と任意の必要とされる装置及びインターフェイスの間の通信を円滑に実行するための更なる特徴または機能及び更なるインターフェイスを有してもよい。例えば、バス／インターフェイスコントローラ８３０を使用し、ストレージインターフェイスバス８３４を介した基本構成８０２と一つまたは複数のデータストレージ装置８３２の間の通信を円滑に実行してもよい。データストレージ装置８３２は、着脱自在のストレージ装置８３６、非着脱自在のストレージ装置８３８、またはこれらの組合せであってもよい。着脱自在のストレージ及び非着脱自在のストレージ装置の例は、例えば、フレキシブルディスクドライブ及びハードディスクドライブ（ＨＤＤ）などの磁気ディスク装置、ＣＤ（Compact Disk）ドライブまたはＤＶＤ（Digital Versatile Disk）ドライブなどの光ディスクドライブ、ＳＳＤ（Solid State Drive）、及びテープドライブを含む。例示用のコンピュータストレージ媒体は、コンピュータ可読命令、データ構造、プログラムモジュール、またはその他のデータなどの情報の保存のための任意の方法または技術において実装された揮発性及び不揮発性の着脱自在及び非着脱自在の媒体を含んでもよい。
【００７８】
システムメモリ８０６、着脱自在のストレージ装置８３６、及び非着脱自在のストレージ装置８３８は、コンピュータストレージ媒体の例である。コンピュータストレージ媒体は、限定を伴うことなしに、ＲＡＭ、ＲＯＭ、ＥＥＰＲＯＭ、フラッシュメモリ、またはその他のメモリ技術、ＣＤ−ＲＯＭ、ＤＶＤ（Digital Versatile Disk）またはその他の光学ストレージ、磁気カセット、磁気テープ、磁気ディスクストレージまたはその他の磁気ストレージ装置、或いは、所望の情報を保存するために使用してもよいと共に演算装置８００によってアクセスしてもよい任意のその他の媒体を含む。このような任意のコンピュータストレージ媒体は、演算装置８００の一部であってもよい。
【００７９】
また、演算装置８００は、バス／インターフェイスコントローラ８３０を介した様々なインターフェイス装置（例えば、出力装置８４２、周辺インターフェイス８４４、及び通信装置８４６）から基本構成８０２への通信を円滑に実行するためのインターフェイスバス８４０を含んでもよい。例示用の出力装置８４２は、グラフィック処理ユニット８４８及びオーディオ処理ユニット８５０を含み、これらは、一つまたは複数のＡ／Ｖポート８５２を介してディスプレイやスピーカなどの様々な外部装置と通信するように構成してもよい。例示用の周辺インターフェイス８４４は、シリアルインターフェイスコントローラ８５４またはパラレルインターフェイスコントローラ８５６を含み、これらは、一つまたは複数のＩ／Ｏポート８５８を介して入力装置（例えば、キーボード、マウス、ペン、音声入力装置、接触入力装置など）やその他の周辺装置（例えば、プリンタやスキャナなど）などの外部装置と通信するように構成してもよい。例示用の通信装置８４６は、ネットワークコントローラ８６０を含み、これは、一つまたは複数の通信ポート８６４を介したネットワーク通信リンク上における一つまたは複数のその他の演算装置８６２との通信を円滑に実行するように構成してもよい。
【００８０】
ネットワーク通信リンクは、通信媒体の一例であってよい。通信媒体は、通常、コンピュータ可読命令、データ構造、プログラムモジュール、或いは、搬送波またはその他の搬送メカニズムなどの変調されたデータ信号の形態のその他のデータにより、実施してもよく、かつ、任意の情報供給媒体を含んでもよい。「変調されたデータ信号」とは、その特性のセットのうちの一つまたは複数の特性を有するまたは信号内において情報をエンコードするように変化した信号であってよい。一例として、かつ、限定を伴うことなしに、通信媒体は、有線ネットワークまたは直接有線接続などの有線媒体と、音響、高周波（ＲＦ）、マイクロ波、赤外線（ＩＲ）、及びその他の無線媒体などの無線媒体と、を含んでもよい。本明細書において使用されるコンピュータ可読媒体という用語は、ストレージ媒体及び通信媒体の両方を含んでもよい。
【００８１】
演算装置８００は、セルフォン、ＰＤＡ（Ｐｅｒｓｏｎａｌ  Ｄａｔａ  Ａｓｓｉｔａｎｔ）、パーソナルメディアプレーヤ装置、無線ウェブ観察装置、パーソナルヘッドセット装置、アプリケーション固有の装置、または上述の機能のうちの任意のものを含むハイブリッド装置などの小型携帯型（または、モバイル）電子装置の一部として実装してもよい。また、演算装置８００を、ラップトップコンピュータ及び非ラップトップコンピュータ構成の両方を含むパーソナルコンピュータとして実装してもよい。
【００８２】
本発明は、その範囲を逸脱することなしに、本明細書に記述されているもの以外の特定の方法によって実行してもよい。したがって、本実施形態は、すべての観点において限定ではなく例示を目的としたものと見なすことを要し、かつ、添付の請求項の意味及び等価な範囲に含まれるすべての変更が本発明に含まれるものと解釈されたい。
【図１】
2014039242.tif 000006
【図２】
2014039242.tif 000007
【図３】
2014039242.tif 000008
【図４】
2014039242.tif 000009
【図５】
2014039242.tif 000010
【図６】
2014039242.tif 000011
【図７】
2014039242.tif 000012
【図８】
2014039242.tif 000013